(57)【特許請求の範囲】
【請求項１】
少なくとも一つの制御可能な照明ネットワークに関係する個人の好みを取り出すためのシステムであって、前記システムは、認知モジュール及び推論エンジンを実行する少なくとも一つのプロセッサとメモリとを有し、前記認知モジュールは、ユーザに対する識別子、ユーザにより要求された前記少なくとも一つの制御可能な照明ネットワークに対する複数の調整、及び前記複数の調整の各々に対応する状況を検出し、前記推論エンジンは、前記複数の調整と前記状況との間の相関を識別するため前記複数の調整及び対応する状況を分析し、識別された相関に基づいて関連したユーザの識別子と関連する少なくとも一つの個人の好み規則を作成し、前記メモリは、前記複数の調整、対応する状況、及び関連したユーザの識別子を格納する、システム。
【請求項２】
前記プロセッサは、更に、前記少なくとも一つの制御可能な照明ネットワークに対する前記複数の調整に基づいて、前記少なくとも一つの制御可能な照明ネットワークに対する制御信号を生成する実行モジュールを実行させる、請求項１に記載のシステム。
【請求項３】
前記プロセッサは、更に、前記少なくとも一つの個人の好み規則に基づいて、前記少なくとも一つの制御可能な照明ネットワークに対する制御信号を生成する実行モジュールを実行させる、請求項１に記載のシステム。
【請求項４】
前記少なくとも一つの個人の好み規則、前記複数の調整、対応する状況、及び関連したユーザの識別子を格納する好みデータベースを更に有する、請求項１に記載のシステム。
【請求項５】
前記プロセッサは、更に、前記認知モジュールがユーザの識別子を検出した後、好みデータベースから前記少なくとも一つの個人の好み規則を要求する、請求項１に記載のシステム。
【請求項６】
少なくとも一つの制御可能な照明ネットワークに関係した個人の好みを適用するシステムであって、前記システムは認知モジュール及び実行モジュールを実行するための少なくとも一つのプロセッサを有し、前記認知モジュールはユーザの識別子及びユーザ状況を検出し、前記実行モジュールは、ユーザにより要求される少なくとも一つの制御可能な照明ネットワークに対する複数の調整と対応するユーザ状況との間の相関に基づいてユーザの識別子と関連する個人の好み規則を好みデータベースから要求し、前記個人の好み規則に基づいて少なくとも一つの制御可能な照明ネットワークに対する制御信号を生成する、システム。
【請求項７】
前記複数の調整は、第１の制御可能な照明ネットワークに関してユーザにより要求され、前記制御信号は、第２の制御可能な照明ネットワークに対するものである、請求項６に記載のシステム。
【請求項８】
前記複数の調整は、第１の制御可能な照明ネットワーク及び第２の制御可能な照明ネットワークに関してユーザにより要求され、前記制御信号は、第３の制御可能な照明ネットワークに対するものである、請求項６に記載のシステム。
【請求項９】
前記実行モジュールは、前記好みデータベースからユーザの識別子と関連した複数の調整を更に要求し、前記識別子と関連した複数の調整に基づいて前記少なくとも一つの制御可能な照明ネットワークに対する制御信号を生成し、前記好みデータベースは、更に、ユーザの識別子と関連した前記複数の調整を格納する、請求項６に記載のシステム。
【請求項１０】
前記認知モジュールは、更に、ユーザにより要求される少なくとも一つの制御可能な照明ネットワークに対する少なくとも一つの調整及び対応するユーザ状況を検出し、前記システムは、更に、前記少なくとも一つの調整、前記対応するユーザ状況、及び関連したユーザの識別子を格納するメモリを有する、請求項６に記載のシステム。
【請求項１１】
前記個人の好み規則は尤度値を含む、請求項６に記載のシステム。
【請求項１２】
ユーザの識別子に関連した個人の好み規則を格納する好みデータベースを更に有する、請求項６に記載のシステム。
【請求項１３】
少なくとも一つの制御可能な照明ネットワークに関係する個人の好みを修正するためのシステムであって、前記システムは、複数の個人の好み規則、及び前記少なくとも一つの制御可能な照明ネットワークに関係する複数のセットのデータを格納する好みデータベースとを少なくとも一つのプロセッサとを有し、第１の個人の好み規則は、第１のユーザ識別子と関連し、第１のユーザにより要求される前記少なくとも一つの制御可能な照明ネットワークに対する複数の調整と対応する状況との間の相関に基づいて作られ、第１の尤度値と、第１のユーザにより要求される前記少なくとも一つの照明ネットワークに対する複数の調整と、データの第１のセットを有する対応する状況とを持ち、第２の個人の好み規則は、第２のユーザ識別子と関連し、第２のユーザにより要求される前記少なくとも一つの制御可能な照明ネットワークに対する複数の調整と対応する状況との間の相関に基づいて作られ、第２の尤度値と、第２のユーザにより要求される前記少なくとも一つの照明ネットワークに対する複数の調整と、データの第２のセットを有する対応する状況とを持ち、前記少なくとも一つのプロセッサは、前記好みデータベースからデータの第１のセット及び第１の個人の好み規則を取り出し、前記好みデータベースからデータの第２のセットを取り出し、データの第１のセットとデータの第２のセットとを比較し、比較に基づいて第１の個人の好み規則の尤度値を調整する、システム。
【請求項１４】
データの第１のセットは、第１のユーザの照明好みを示す少なくとも一つの票を有し、データの第２のセットは、第２のユーザの照明好みを示す少なくとも一つの票を有する、請求項１３に記載のシステム。
【請求項１５】
前記実行モジュールが照明好みを示す少なくとも一つの票を求める制御信号を更に生成する、請求項１４に記載のシステム。
【請求項１６】
データ及び命令を格納するための少なくとも一つのメモリと、ユーザインタフェースと、光源と、ソフトウェアモジュールからの命令を実行する少なくとも一つのプロセッサとを有する制御可能な照明ネットワークに関係した個人の好みを取り出すための方法であって、前記ソフトウェアモジュールは、認知モジュール、実行モジュール及び推論エンジンを有し、前記ソフトウェアモジュールは、前記少なくとも一つのメモリ内に位置され、命令を実行するとき、ユーザにより要求される少なくとも一つの制御可能な照明ネットワークに対する複数の調整とユーザ識別子とを前記認知モジュールにより検出するステップと、前記複数の調整の各々に対する状況を前記認知モジュールにより識別するステップと、前記複数の調整と前記状況との間の相関を識別するために前記複数の調整に対する状況と前記複数の調整とを前記推論エンジンにより分析するステップと、識別された相関に基づいて少なくとも一つの個人の好み規則を前記推論エンジンにより作るステップと、前記ユーザ識別子と共に好みデータベースに前記少なくとも一つの個人の好み規則を格納するステップというコンピュータ実行ステップを実施し、前記少なくとも一つの個人の好み規則が前記ユーザ識別子と関連する、方法。
【請求項１７】
前記調整に対応する信号を前記認知モジュールにより前記実行モジュールへ送信するステップと、前記信号に基づいて前記制御可能な照明ネットワークの調整を前記実行モジュールにより実行するステップとを更に有する、請求項１６に記載の方法。
【請求項１８】
前記実行モジュールにより前記複数の調整に対する状況及び前記調整を前記少なくとも一つのメモリに格納させるステップを更に有する、請求項１６に記載の方法。
【請求項１９】
前記複数の調整に対する前記状況は、スキーマの識別、前記調整による変化の前の設定、変化の量、時間、位置、ユーザの動き、温度及び湿度を有する、請求項１６に記載の方法。
【請求項２０】
データ及び命令を格納するための少なくとも一つのメモリと、ユーザインタフェースと、光源と、ソフトウェアモジュールからの命令を実行する少なくとも一つのプロセッサとを有する制御可能な照明ネットワークにおける個人の好みを修正する方法であって、前記ソフトウェアモジュールは、認知モジュール、実行モジュール及び推論エンジンを有し、前記ソフトウェアモジュールは、前記少なくとも一つのメモリ内に位置され、命令を実行するとき、第１のユーザに対する基準の第１のセット及び個人の好み規則を識別するステップであって、前記個人の好み規則は、尤度値を持ち、ユーザにより要求される前記制御可能な照明ネットワークに対する複数の調整と前記複数の調整に対する状況との間の相関に基づいて作られる、当該識別するステップと、少なくとも一人の第２のユーザに対する基準の第２のセットを識別するステップと、基準の第１のセットと基準の第２のセットとを比較するステップと、比較に基づいて前記個人の好み規則の前記尤度値を調整するステップと、前記ユーザ識別子と共に好みデータベースに前記個人の好み規則を格納するステップというコンピュータ実行ステップを実施する、方法。
【請求項２１】
少なくとも一人の第２のユーザから前記比較に基づいた第１のユーザの前記個人の好み規則に対する少なくとも一つの票を受け取るステップを更に有する、請求項２０に記載の方法。
【請求項２２】
前記少なくとも一つの票に基づいて前記個人の好み規則の前記尤度値を調整するステップを更に有する、請求項２１に記載の方法。
【請求項２３】
調整された尤度値を持つ個人の好み規則が好みデータベースに格納される、請求項２１に記載の方法。
【発明の詳細な説明】
【技術分野】
【０００１】
本発明は、制御可能なネットワーク及び関連する通信に概して向けられている。特に、本発明は、複数の制御可能な照明ネットワークに適用できる個人の好みを自動的に取り出して修正し共有するためのシステム及び装置に向けられている。
【背景技術】
【０００２】
デジタル照明技術、すなわち発光ダイオード（ＬＥＤ）のような半導体光源に基づく照明は、今日、従来の蛍光灯、ＨＩＤランプ及び白熱灯の現実的な代替例を提供する。高エネルギー変換及び光効率、耐久性及び低コストのようなその多くの機能的な利点が結合されたＬＥＤ技術の最近の進歩は、様々な照明効果を可能にする、効率的且つ頑強なフルスペクトル光源の発現に至った。例えば、参照により本願に組み込まれる米国特許第６，０１６，０３８号及び第６，２１１，６２６号に説明されているように、これらの光源を具現化している器具は、様々な色及び色変更照明効果を生成するためにＬＥＤの出力を独立して制御するためのプロセッサだけでなく、異なる色、例えば赤、緑及び青を生成できる一つ以上のＬＥＤを含む。
【０００３】
制御可能な照明ネットワーク及びシステムは、一つ以上のスペースの照明を制御するためにデジタル技術を利用できる照明管理システムを含む。制御可能な照明ネットワーク及びシステムは、スペース内で検出された又はさもなければスペースに関連した各個人の個人照明好みに基づいて、スペース内の照明器具を制御する。多くの制御可能な照明ネットワーク及びシステムは、それらの影響下でスペースについての情報を受信するためのセンサシステムを利用する。斯様な情報は、個人と関連した個人の照明好みだけでなくスペース内で検出される個人の識別を含む。結果的に、今日使用される制御可能な照明システムは、個人の好みを適用することにより、ユーザが照明を制御可能にする。行われている最近の研究は、照明の個人制御が、従業員満足度、動機付け及び健康についての重要な改善に結果としてなることを示す。個人の好みの満足感に基づいて品質が測定され、仕事場で人々が作業する際に当該品質が高い照明がどれくらい活用され得るかについてのインパクトを、個人制御とパフォーマンスとの間のこの因果リンクは立証する。
【０００４】
ユーザの観点から、しばしば照明制御を実行するための多くの従来のシステム及び技術は、しばしば、以前に入力された好みに従うランプ調光以上のものをほとんど提供しない。例えば、多くの既知のシステムでは、特定の環境に対するユーザの照明好みは、ビル管理人によりプログラムできる。このとき、システムは、ユーザの好みの照明アレンジメントを実行するため周囲の照明を制御できる。このように、作業者のワークスペースを明るく照らすか、又は薄暗く照らすのを好む作業者は、管理人によりしかるべくシステムをプログラムできる。同様に、管理人は、節電するためユーザの仕事スケジュールに従って「オン」／「オフ」をスケジュールできる。
【０００５】
他の既知のシステムは、ＲＳ―４８５有線ネットワークを介して中央コントローラと通信する統合された占有及び昼光センサで直接間接蛍光照明器具を特徴付ける。このとき、中央コントローラは、ローカルエリアネットワーク（ＬＡＮ）を介してデスクトップコンピュータと通信する。このシステムは、作業者により作業者のワークステーション上のタスク（直接的）照明及び周囲（間接的）照明を調光可能にし、作業者のコンピュータ上にインストールされている個人照明制御ソフトウェアを使用して、タスク及び周囲照明をオン／オフ可能にする。システムは、また、オフィスマネージャにより、個々の照明器具、グループ、領域及び全体の照明ネットワークに対する制御を割り当て、照明器具昼光センサをオンオフし、照明器具占有センサをオンオフし、占有センサの遅延時間を特定し、タスク及び周囲ランプ制御を独立して特定し、負荷制限をオンオフし、詳細なエネルギー消費レポートを生成し、日々の、毎週の、毎月及び年次のイベントをスケジュールする。この意味で、このシステム及び同様の従来の製品は、ＨＶＡＣ及びセキュリティサブシステムも管理するビル管理システムの拡張とみなされる。
【０００６】
ユーザが特定の位置に対するユーザの照明好みを入力し、中央コントローラがＬＥＤ又は他の光源に指示して、人の好みを実行するための照明スクリプトを実行できる照明システムも開示されている。１つの従来のアプローチでは、照明システムは、人が存在している間、人の存在を示す入力、又は例えば、名前バッジの磁気読み取り若しくは生体評価によりその位置に存在する特定の人の存在を識別する入力を受信する。種々異なる照明スクリプトが、人が存在するかどうか、どれくらい長く人が存在するか、どの人が存在するかに依存して実行される。これらのシステムは、また、部屋の中の人の数又は人々が向いている方向に依存して種々異なる照明スクリプトを選択する。例えば、照明装置及び他のエネルギー源は、個人の電子カレンダの情報に依存してオン又はオフにできる。
【０００７】
幾つかの従来の照明システムは、ユーザが持っている装置から、人の存在又は人の好みに関する情報を受信できる。例えば、幾つかの開示されているシステムでは、カードリーダは、システムにより、例えば、ユーザが部屋に入るとき照明をオンにし、ユーザが部屋から出るとき照明をオフにさせるユーザが持っているカードの存在を検出できる。他の開示されている照明システムでは、ユーザは、ユーザの好みをモバイル機器又はカードに保存する。ユーザが進むにつれて、カードの自動検出を通じて、又は他のシステムでは、カードをカードリーダに挿入することにより、格納された好み（例えば、照明を調光するか又は照明の色を変える）に対するユーザの制御の下、パラメータに従うことができる装置及びシステムにデータを転送できる。
【０００８】
デジタル照明技術の進歩が正確に制御可能な照明を生じさせる一方、ユーザ好みを実行するための既知のシステムは、ネットワーク化された又はネットワーク化されていないシステムで照明をセットする反復作業を必要とする。ユーザは１つの照明システムでは数が少ない好みを手動で入力しようとしてもよいが、今日の半導体照明や電子回路装置では調整される変数が多数あるので、照明システムが完全には活用されない。
【０００９】
モバイル機器及びデジタル、すなわち半導体照明の分野は大きな進歩が見られるが、個人の照明好みを取り出し、複数の照明ネットワーク間で個人の好みに基づいて照明を調整することを更に豊かにするために制御可能な半導体照明と個人モバイル機器との使用を結合するシステムが欠如している。例えば、ユーザの好みを実行しているシステムで、ユーザの好みは、概して、（１）調整される一つの変数ごとに最初に手動で入力することを必要とし、（２）特定の位置に対して特有であり、異なる位置又は異なるネットワークで実行可能ではない。
【発明の概要】
【発明が解決しようとする課題】
【００１０】
本願の出願人は、制御可能な照明技術でなされる進歩を通信技術でなされる進歩と結合するための技術的ニーズがあると広く認識した。照明制御及び電子通信の分野の従来の解決策は、両方の分野の進歩により提供される利点を完全に活用せず、代わりに、一方の犠牲で他方に集中することを選択しているからである。しかしながら、出願人は、制御可能な照明と電子通信技術との組合せが、どちらの技術的動作も単独で完全には活用されていない多くの状況において、有利な解決策を特に提供する能力を持つことに気付いた。
【００１１】
出願人は、ユーザが自分自身の好みの全てを識別し入力するための時間をとる必要なく、学習システム単独では、孤立した状態で動作する制御可能な照明ネットワークと関連する不備の全てを克服することを要求する、制御可能な照明に対する個人の好みを取り出して実行するためのシステム、方法及び装置に対する技術的ニーズを特に認識した。特に、ユーザが手動設定を記録し、好み規則を作成し、その後他の制御可能な照明ネットワークとこれらの好み規則を共有することを可能にするシステムは、現在出願人が知っている範囲ではない。出願人は、斯様な学習システムが制御可能な照明ネットワークに関する情報を共有可能にする場合、個人の好みがより速く推測でき、将来の手動調整が減らされ又は除去されることに気付いた。このように、制御可能な照明ネットワークに関係する斯様なユーザ好みを共有するためのシステム、方法及び装置のための技術の実現されていないニーズがある。従って、本開示は、制御可能な照明ネットワークに関係する個人の好みを取り出し、修正し、個人の好みを取り出すために通信技術を使用するためのシステム及び装置に向けられる。
【課題を解決するための手段】
【００１２】
本発明の実行及び様々な実施例によるシステム及びプロセスは、一つ以上の利点をユーザに提供する。第１に、従来の照明制御ネットワークとは異なり、本願で考察される様々な例示的システムは、ユーザの個人モバイル機器と対話するユーザインタフェースを介して照明及びあり得る他の制御可能な装置に関する個人の好みをユーザが通信できるようにする。加えて又は代わりに、斯様な例示的なシステムは、ユーザにより要求される複数の制御可能な照明ネットワークに対する調整から個人の好みを取り出し、及び／又は好みデータベースに規則として斯様な個人の好みを保存する。
【００１３】
また、幾つかの例示的なシステムは、社会的環境内の照明設定の最近保存された個人の好みをユーザが表示可能にする。加えて、これらの例示的なシステムは、個人の照明好みをユーザが表示可能にすることにより、ユーザが他人の個人の照明好みを考慮することを可能にする。例えば、明確若しくは潜在的な票を介して、又はなされた調整を介して、好みは、他の人の意見に適応するように拡張できる。ネットワークは、ローカル状況、ネットワーク構成、ネットワーク機能及び他のユーザの好みに依存して、完全に又は部分的に好みを表すことができる。その上、例示的なシステムは、個人の音楽の好みのような特定の情報に基づいて、他人の個人の照明好みの影響をユーザが重み付け可能にする。
【００１４】
概して、本発明の一つの態様は、少なくとも一つの制御可能な照明ネットワークに関係する個人の好みを取り出すためのシステムである。システムは、少なくとも一つのプロセッサとメモリとを有する。少なくとも一つのプロセッサは、認知モジュール及び推論エンジンを実行するように構成される。認知モジュールは、ユーザに対する識別子、ユーザにより要求された前記少なくとも一つの制御可能な照明ネットワークに対する複数の調整、及び前記複数の調整の各々に対応する状況を検出する。推論エンジンは、複数の調整と状況との間の相関を識別するため複数の調整及び対応する状況を分析し、識別された相関に基づいて関連したユーザの識別子と関連する少なくとも一つの個人の好み規則を作る。メモリは、複数の調整、対応する状況、及び関連したユーザの識別子を格納するように構成される。
【００１５】
本発明の前述の態様の幾つかの実施例では、プロセッサは、更に、少なくとも一つの制御可能な照明ネットワークに対する複数の調整及び／又は少なくとも一つの個人の好み規則に基づいて、少なくとも一つの制御可能な照明ネットワークに対する制御信号を生成する実行モジュールを実行させるように構成される。本発明の幾つかの実施例では、システムは、少なくとも一つの個人の好み規則、複数の調整、対応する状況、及び関連したユーザの識別子を格納する好みデータベースも含む。幾つかの実施例では、個人の好み規則は、尤度値を含む。
【００１６】
本発明の他の態様は、少なくとも一つの制御可能な照明ネットワークに関係した個人の好みを適用するシステムである。システムは認知モジュール及び実行モジュールを実行するための少なくとも一つのプロセッサを含む。認知モジュールはユーザの識別子及びユーザ状況を検出する。実行モジュールは、ユーザにより要求される少なくとも一つの制御可能な照明ネットワークに対する複数の調整と対応するユーザ状況との間の相関に基づいてユーザの識別子と関連する個人の好み規則を好みデータベースから要求し、前記個人の好み規則に基づいて少なくとも一つの制御可能な照明ネットワークに対する制御信号を生成する。
【００１７】
本発明の他の態様は、少なくとも一つの制御可能な照明ネットワークに関係する個人の好みを修正するためのシステムである。システムは、好みデータベース及び少なくとも一つのプロセッサを含む。好みデータベースは、複数の個人の好み規則、及び前記少なくとも一つの制御可能な照明ネットワークに関係する複数のセットのデータを格納するように構成される。複数の個人の好み規則は、第１のユーザ識別子と関連する第１の個人の好み規則と第２のユーザ識別子と関連する第２の個人の好み規則とを含む。第１の個人の好み規則は、第１のユーザにより要求される少なくとも一つの制御可能な照明ネットワークに対する複数の調整と対応する状況との間の相関に基づいて作られ、第１の尤度値を持つ。第１のユーザにより要求される少なくとも一つの制御可能な照明ネットワークに対する複数の調整と対応する状況とは、データの第１のセットである。第２の個人の好み規則は、同様に、第２のユーザにより要求される少なくとも一つの制御可能な照明ネットワークに対する複数の調整と対応する状況との間の相関に基づいて作られ、第２の尤度値を持つ。第２のユーザにより要求される少なくとも一つの制御可能な照明ネットワークに対する複数の調整と対応する状況とは、データの第２のセットである。少なくとも一つのプロセッサは、好みデータベースから第１の個人の好み規則、データの第１のセット及びデータの第２のセットを取り出し、データの第１のセットとデータの第２のセットとを比較し、比較に基づいて第１の個人の好み規則の尤度値を調整する。
【００１８】
本発明の幾つかの実施例によると、データの第１のセットは、第１のユーザの照明好みを示す少なくとも一つの票を有し、データの第２のセットは、第２のユーザの照明好みを示す少なくとも一つの票を更に有する。本発明の他の実施例では、実行モジュールは、照明好みを示す少なくとも一つの票を求める制御信号を生成する。
【００１９】
概して、本発明の一つの態様は、制御可能な照明ネットワーク内で個人の好みを取り出すための方法である。制御可能な照明ネットワークは、データ及び命令を格納するための少なくとも一つのメモリと、ユーザインタフェースと、光源と、少なくとも一つのプロセッサとを有する。少なくとも一つのプロセッサは、認知モジュール、実行モジュール及び推論エンジンの区別できるソフトウェアモジュールに含まれる命令を実施し、これら区別できるソフトウェアモジュールは、少なくとも一つのメモリ内に位置される。システム１０は、ユーザにより要求される少なくとも一つの制御可能な照明ネットワークに対する複数の調整とユーザ識別子とを認知モジュールにより検出するステップと、複数の調整の各々に対する状況を認知モジュールにより識別するステップと、複数の調整と状況との間の相関を識別するために複数の調整に対する状況と複数の調整とを推論エンジンにより分析するステップと、識別された相関に基づいて少なくとも一つの個人の好みを推論エンジンにより作るステップと、ユーザ識別子と共に好みデータベースに少なくとも一つの個人の好み規則を格納するステップというステップを実施するように構成され、少なくとも一つの個人の好み規則がユーザ識別子と関連する。
【００２０】
本発明の幾つかの実施例によると、プロセッサは、調整に対応する信号を認識モジュールにより実行モジュールへ送信するステップと、信号に基づいて制御可能な照明ネットワークの調整を実行モジュールにより実行するステップとを更に実施する。
【００２１】
本発明の別の態様は、データ及び命令を格納するための少なくとも一つのメモリ、ユーザインタフェース、光源、及び少なくとも一つのメモリに位置される認知モジュール、実行モジュール及び推論エンジンからの命令を実行する少なくとも一つのプロセッサを備える複数の制御可能な照明ネットワーク間で個人の好みに基づいて照明を調整する方法である。当該方法は、認知モジュールによりユーザ識別子を検出するステップと、実行モジュールにより好みデータベースからのユーザ識別子、複数の制御可能な照明ネットワーク間でユーザにより要求される複数の調整間の相関に基づいて作成される個人の好み規則、及び複数の調整のための状況を取り出すステップと、個人の好み規則に基づいて光源を調整するステップというコンピュータ実行ステップを含む。
【００２２】
本発明の他の態様によると、制御可能な照明ネットワークにおける個人の好みを修正する方法は、第１のユーザに対する基準の第１のセット及び個人の好み規則を識別するステップであって、個人の好み規則は、尤度値を持ち、ユーザにより要求される制御可能な照明ネットワークに対する複数の調整と複数の調整に対する状況との間の相関に基づいて作られる、当該識別するステップと、少なくとも一人の第２のユーザに対する基準の第２のセットを識別するステップと、第１の基準と第２の基準とを比較するステップと、比較に基づいて前記個人の好み規則の尤度値を調整するステップと、前記ユーザ識別子と共に好みデータベースに前記個人の好み規則を格納するステップとである。制御可能な照明ネットワークは、データ及び命令を格納するための少なくとも一つのメモリと、ユーザインタフェースと、光源と、認識モジュール、実行モジュール及び推論エンジンのような区別できるソフトウェアモジュールを持つ少なくとも一つのプロセッサとを有する。区別できるソフトウェアモジュールは、少なくとも一つのメモリにアクセスするように構成される。
【００２３】
その上、本発明の多くの態様は、データ及び命令を格納するための少なくとも一つのメモリと、ユーザインタフェースと、光源と、異なるソフトウェアモジュールからの命令を実行する少なくとも一つのプロセッサとを有する制御可能な照明ネットワークのユーザから票に基づいて制御可能な照明ネットワークの個人の好みを修正することを含む。区別できるソフトウェアモジュールは、認知モジュール、実行モジュール及び推論エンジンを含み、少なくとも一つのメモリ内に位置される。区別できるソフトウェアモジュールは、個人の好み及び第１のユーザに対する基準の第１のセット、ユーザにより要求される制御可能な照明ネットワークに対する複数の調整間の相関に基づいて作成される個人の好み規則、並びに複数の調整のための状況を識別するために設定される。モジュールは、更に、第２のユーザに対する基準の第２のセットを識別し、基準の第１のセットを基準の第２のセットと比較し、比較に基づいて第２のユーザから票を受け取り、第２のユーザからの票、比較に基づいて決定される少なくとも一つの票に基づいて第１のユーザの個人の好み規則を調整するように構成される。
【００２４】
本発明の別の態様は、ユーザの調整履歴に基づいて制御可能な照明ネットワークの個人の好みを修正することを含む。制御可能な照明ネットワークは、データ及び命令を格納するための少なくとも一つのメモリ、ユーザインタフェース、光源、区別できるソフトウェアモジュールからの命令を実行するための少なくとも一つのプロセッサを含む。区別できるソフトウェアモジュールは、認知モジュール、実行モジュール及び推論エンジンを含み、少なくとも一つのメモリ内に位置される。モジュールは、第１のユーザに対する基準の第１のセットを識別するように構成される。モジュールは、更に、第２のユーザに対する基準の第２のセットと、第２のユーザにより要求される制御可能な照明ネットワークに対する複数の調整間の相関に基づいて作られる個人の好み規則と、複数の調整に対する状況とを識別する。モジュールは、更に、基準の第１のセットを基準の第２のセットと比較し、比較に基づいて第２のユーザの個人の好み規則に対する第１のユーザによる以前の調整を識別し、以前の調整に基づいて第２のユーザの個人の好み規則を調整するように構成される。
【００２５】
以下に詳細に説明されるように、上述の概念単独で、また組み合わせて（組み合わせても相互に矛盾しないと仮定して）、上述の概念がここで開示される本発明の主題の一部であると考察されることは、理解されるべきである。参照により組み込まれている何れかの開示物にも現れている、ここで明示的に利用される用語は、本願で開示された特定の概念と最も整合がとれる意味に一致するべきであることも理解されるべきである。
【００２６】
図面は、必ずしも一定の縮尺である必要はなく、代わりに本発明の原理を例示する際、概ね強調されている。
【図面の簡単な説明】
【００２７】
【図１】図１は、本発明の幾つかの実施例に従って取り出され及び／又は適用される個人の好み各々に関する複数の制御可能な照明ネットワークを例示する。
【図２】図２は、個人の照明好み及び／又は規則を引き出すためのシステムにおいて本発明の実施例による種々異なるモジュールを持つメモリを例示する。
【図３】図３は、本発明の実施例による個人の照明好み及び／又は規則を取り出すための手順の流れ図を例示する。
【図４】図４は、本発明の実施例による格納された個人の好み及び／又は規則を適用するための手順の流れ図を例示する。
【図５】図５は、平凡な照明調整と本発明の実施例によるユーザにより要求される重要な照明調整とを区別するための手順の流れ図を例示する。
【図６ａ】図６ａは、本発明の実施例による個人の好み規則に応答して、ユーザの票に基づいて個人の好みを修正するための手順の流れ図を例示する。
【図６ｂ】図６ｂは、本発明の実施例による基準のセットに応答して、システムユーザの票に基づいて個人の好みを修正するための手順の流れ図を例示する。
【図７】図７は、本発明の実施例による個人の好み規則の比較に応答して、照明調整のユーザの履歴に基づいて、他のユーザの個人の好みを修正するための手順の流れ図を例示する。
【図８】図８は、本発明の実施例による基準の各ユーザのセットの比較に応答して、照明調整のユーザの履歴に基づいて、他のユーザの個人の好みを修正するための手順の流れ図を例示する。
【発明を実施するための形態】
【００２８】
ここで、本発明の例示的実施例が詳細に参照され、その例が添付の図面に示されている。
【００２９】
図１は、本発明が有用である対話形システム１０を例示する。対話形システム１０は、メモリ１００、通信モジュール１１０、プロセッサ１２０、ローカルメモリ１３０、及び一つ以上の個別に制御可能な照明器具１５０を含む制御可能な照明ネットワーク１４０を含む。個人通信装置（個人装置）４０は、対話形システム１０内を出入りでき、対話形システム１０と対話できる。個人装置４０のような任意の数の種々異なる個人装置が、いつでも対話形システム１０内である得る。制御可能な照明ネットワーク１４０内の照明器具１５０は、システム１０を通じて手動で調整できる。システム１０は、ユーザにより要求される調整をローカルメモリ１３０に保存する。システム１０は、更に、ユーザにより入力されるシステム１０に関係する任意の好みをローカルメモリ１３０に保存する。対話形システム１０では、通信モジュール１１０は、個人装置４０と通信するプロセッサ１２０により用いられる。通信モジュール１１０は、個人装置４０から取り出されたユーザ識別子をプロセッサ１２０へ送信する。ユーザ識別子に応答して、システム１０は、ローカルメモリ１３０からユーザについての情報をアクセスし、その情報に従って制御可能な照明ネットワーク１４０内の照明器具１５０を調整する。
【００３０】
本発明による好みデータベース５０は、対話形システム１０、２０、３０の任意の一つに含まれるか、又はそれら各々から離れている。本発明の実施例の好みデータベース５０は、通信モジュール１１０又は他の通信リンク（図示せず）を介して、対話形システム１０、２０、３０の各々にアクセス可能である。個人通信装置（個人装置）４０は、対話形システム１０、２０、３０及び任意の数の類似のシステムの任意の一つ内を行き来でき、対話できる。個人装置４０のような任意の数の種々異なる個人装置は、システム１０、２０、３０のような対話形システム内にいつでもあり得る。図１は３つの対話形システムを例示しているが、本発明は任意の数の対話形システムに関して有効であることは理解されるべきである。
【００３１】
図２は、本発明の実施例による個人の照明好みを取り出して修正するためのプロセッサ１２０に命令を供給するためのメモリ１００を例示する。メモリ１００は、認知モジュール２１０及び推論エンジン２３０を含む。本発明の他の実施例では、認知モジュール２１０及び推論エンジン２３０は、ローカルメモリ１３０内に位置されてもよい。
【００３２】
プロセッサ１２０は、より大きな対話形システム１０内の部品であり得る。プロセッサ１２０は、また、ユーザ識別子と関連したユーザの個人の照明好みを示す制御信号を送信することにより、照明ネットワーク１４０内の照明器具１５０を制御する。本明細書で用いられる用語「プロセッサ」は、情報を操作できるコンピュータの中央演算処理装置のような演算及び論理命令を処理する任意の回路を指す。プロセッサ１２０の実施例は、限定されないが、従来のマイクロプロセッサ、特定用途向け集積回路（ＡＳＩＣ）及びフィールドプログラム可能なゲートアレイ（ＦＰＧＡ）を含む。図１がプロセッサ１２０を単一のプロセッサとして例示しているが、本発明が協働して機能する複数のプロセッサ１２０―１．．．１２０―ｎとして実行できることは理解されるべきである。
【００３３】
プロセッサ１２０により実行されるとき、認知モジュール２１０は、ユーザと関連したユーザ識別子を示す第１の信号を受信し、個人装置４０からの個人装置４０の識別を関連付ける。個人装置４０の典型的な実施例は、携帯電話、ＳＭＳ装置、パーソナル携帯情報機器、ＢＬＡＣＫＢＥＲＲＹ装置、ＩＰＨＯＮＥ装置及びプログラム可能なＲＦＩＤタグを含む装置を含む。本明細書で用いられる「ＲＦＩＤタグ」は、ＲＦＩＤタグを組み込んでいる対象物が電波を使用して追尾できるように、他の任意の対象物に組み込まれ得る任意の対象物を含む。幾つかの実施例では、ＲＦＩＤタグは、少なくとも２つの部品：無線周波信号を変調し復調するような機能を実施するために集積された回路を含む第１の部品、及び無線周波信号を受信及び送信するためのアンテナを含む第２の部品を含む。加えて、ＲＦＩＤタグは、受動的又は能動的である。システム１０の幾つかの実施例では、個人装置４０は、プロセッサを含む。
【００３４】
プロセッサ１２０により実行されるとき、認知モジュール２１０は、通信モジュール１１０を介して個人通信装置４０から第１の信号を受信する。通信モジュール１１０の実施例は、例えば、有線ネットワーク、無線ネットワーク、又は異なる有線及び無線ネットワークの組合せを含む。その上、通信モジュール１１０は、異なる技術、例えば、赤外線通信、ファイバー光通信又はコンピュータをネットワーク化している技術（例えば、イーサネット（登録商標）技術）を含む。通信モジュール１１０は、ローカル領域ネットワーク（ＬＡＮ）又は無線ローカル領域ネットワーク（ＷＬＡＮ）も含む。例えば、通信モジュール１１０は、プロセッサ１２０と個人装置４０との間の無線コンピュータ通信技術を含む。
【００３５】
本明細書で使用される用語「ネットワーク」は、２台以上の装置間及び／又はネットワークに結合される複数の装置間の（例えば装置制御、データ格納、データ交換等のための）情報のトランスポートを容易にする２台以上の装置（照明コントローラ又はプロセッサを含む）の相互接続をいう。容易に理解できるように、複数の装置を相互接続することに適しているネットワークの様々な実行は、様々なネットワークトポロジの何れかを含み、様々な通信プロトコルの何れかを使用する。加えて、本開示による様々なネットワークで、２台の装置間の任意の一つの接続は、２つのシステム間の専用接続、又は代わりに非専用接続を表す。２台の装置に対して意図した情報を運ぶことに加えて、斯様な非専用接続は、２台の装置の何れかを必ずしも意図しない情報を運んでもよい（例えば、開いたネットワーク接続）。更にまた、本願明細書で説明される装置の様々なネットワークが、ネットワークを通して情報トランスポートを容易にするために一つ以上の無線、ワイヤ／ケーブル及び／又はファイバー光リンクを使用してもよいことは、容易に理解されるべきである。
【００３６】
プロセッサ１２０により実行されるとき、認知モジュール２１０は、また、ユーザインタフェースを介してユーザにより要求される任意の調整を示す信号を検出する。本明細書で使用される用語「ユーザインタフェース」は、ユーザと装置との間の通信を可能にする一つ以上の装置とユーザ又はオペレータとの間のインタフェースを指す。本開示の様々な実行において使用されるユーザインタフェースの例は、制限されるわけではないが、スイッチ、電位差計、ボタン、ダイヤル、スライダ、マウス、キーボード、キーパッド、様々なタイプのゲームコントローラ（例えば、ジョイスティック）、トラックボール、ディスプレイ画面、様々なタイプのグラフィカルユーザインタフェース（ＧＵＩ）、タッチスクリーン、マイクロホン、及び人により生成された刺激のある形式を受信し、それに応じて信号を生成する他のタイプのセンサを含む。
【００３７】
プロセッサ１２０は、各調整が要求された状況のスナップショットに加えてユーザにより要求された任意の調整をメモリ１３０に記録するように設定される。調整は、例えば、一つ以上の照明器具の強度、一つ以上の照明器具のスペクトル、一つ以上の照明器具により放射される照明のパターン、一つ以上の照明器具の色温度、又はこれらの組合せである。調整の状況は、例えば、１日の時間、自然光の強度、スキーマ、要求前の設定、変化の量、要求と前の変化との間の時間、ユーザの位置、要求の前後のユーザの活動、そこにいる他の人々の数、温度、湿度レベル等である。その上、推論エンジン２３０は、要求された調整及び対応する状況を分析し、任意の識別されたパターンから規則を推論するようにプロセッサ１２０に指示するように設定される。
【００３８】
推論エンジン２３０は、ユーザにより要求された照明調整、及び調整の各々が要求された状況を保存するローカルメモリ１３０と通信するようにプロセッサ１２０に指示するように設定される。ローカルメモリ１３０は、ユーザ識別子をユーザによりなされた照明調整と関連付ける。メモリ１３０の実施例は、様々なタイプの記憶メディア、例えば、ＲＡＭ、ＰＲＯＭ、ＥＰＲＯＭ及びＥＥＰＲＯＭ、フレキシブルディスク、コンパクトディスク、光ディスク、ハードディスク、磁気テープのような揮発性及び非揮発性のコンピュータメモリを含む。幾つかの実施態様において、ストレージ媒体は、プロセッサで実行できる一つ以上のプログラムでコード化される。様々なストレージ媒体は、当該媒体上に格納された一つ以上のプログラムが、本願明細書において述べられる本発明の様々な態様を実行するためプロセッサにロードできるように移動可能である。用語「プログラム」又は「コンピュータプログラム」は、一つ以上のプロセッサをプログラムするために使用できる任意のタイプのコンピュータコード（例えば、ソフトウェア又はマイクロコード）を指すために、一般的な意味で本願明細書において用いられる。
【００３９】
プロセッサ１２０により実行されるとき、推論エンジン２３０は、調整と調整がなされる状況との間のあり得る相関を識別するために、格納されたユーザ情報を分析する。推論エンジン２３０は、更に、斯様な相関に基づいて好み規則を作成するようにプロセッサ１２０に指示するように設定される。作られる任意の規則は、対話形システム２０及び３０のような他のシステムによりアクセス可能である好みデータベース５０に送信される。好みデータベース５０は、ユーザ識別子に関連して個人の好み規則及び要求された調整を格納する。プロセッサ１２０により実行されるとき、推論エンジン２３０が、ユーザにより要求される調整と調整が要求される状況との間の相関を識別できる場合、相関に基づく規則が、そのユーザのために好みデータベース５０に格納される。要求された調整は、規則とともに、好みデータベース５０に格納される。相関が見つけられない場合、又は相関が弱いとみなされる場合、要求された調整が、好みデータベース５０に格納される。
【００４０】
対話形システム２０及び３０のような他の対話形システムの本発明によるプロセッサは、規則及び／又は調整を同様に保存し、それが好みデータベース５０で取り出される。他の対話形システムの本発明によるプロセッサは、また、好みデータベース５０を通じて、システム１０に関して取り出された規則及び／又は要求された調整にアクセスする。その上、本発明によるプロセッサは、ユーザにより要求された調整と調整が要求される状況との間の相関を識別するために、複数の対話形システムから好みデータベース５０内のユーザ情報を分析する。
【００４１】
本発明の幾つかの実施例では、メモリ１００は、更に実行モジュール２２０を含む。実行モジュール２２０は、好み規則に基づいて、制御可能な照明ネットワーク１４０内の個別に制御可能な照明器具１５０又は他の装置を制御するようにプロセッサ１２０に指示する。実行モジュール２２０は、また、要求された調整を識別する信号を受信し、個別に制御可能な照明器具１５０を変えるための調整を実行する。プロセッサ１２０は、ユーザの個人の好みに基づいて、ユーザの優先度又はユーザの個人の好みに基づいて調整を実行する。幾つかの実施例では、制御可能な照明ネットワーク１４０は、例えば、専用ハードウエア通信リンクから成る。幾つかの他の実施例では、照明器具１５０は、他のタイプの通信リンク、例えば、イーサネット（登録商標）又は無線ネットワーク接続を含む照明ネットワークを通じて通信する一つ以上のアドレス指定可能な照明器具を含む。本発明の他の実施例では、実行モジュール２２０は、ローカルメモリ１３０に位置される。
【００４２】
プロセッサ１２０は、一つ以上の照明器具の操作に関係する様々な装置を概して説明するために本願明細書で使用される照明コントローラである。照明コントローラを含むコントローラは、本願明細書で説明される様々な機能を実施するための多くのやり方（例えば、専用ハードウエアでのような）で実行される。コントローラは、また、幾つかの機能を実施する専用のハードウエアと他の機能を実施するプロセッサ（例えば、一つ以上のプログラムされたマイクロプロセッサ及び付随する回路）との組合せとして実行されてもよい。本開示の各種実施形態において使用されるコントローラ部品の例は、制限されるわけではないが、従来のマイクロプロセッサ、アプリケーションに特有の集積回路（ＡＳＩＣ）及びフィールドプログラマブルゲートアレイ（ＦＰＧＡ）を含む。
【００４３】
本発明の幾つかの実施例によると、プロセッサ１２０は、対話形システム１０内でユーザと関連した複数のユーザ識別子を受信する。実行モジュール２２０は、個人装置から受け取られる情報に基づいて、ユーザ識別子を時間的に並べる。例えば、通信モジュール１１０が個人装置４０に関連したユーザ識別子を含む信号を受信した後、通信モジュール１１０は、第２の個人装置と関連したユーザ識別子を含む他の信号を引き続き受信する。このような状況では、実行モジュール２２０は、第１の個人装置からのユーザ識別子に高い優先度を関連付け、第２の個人装置からのユーザ識別子に低い優先度を関連付ける。従って、通信モジュール１１０は、第１の信号をプロセッサ１２０に送信する。第１の信号は、第１の個人装置と関連したユーザ識別子の優先度を識別する。その上、通信モジュール１１０は、第２の信号をプロセッサ１２０に送信する。第２の信号は、第２の個人装置と関連したユーザ識別子の優先度を識別する。このような実施例では、プロセッサ１２０は、第１及び第２の信号をほぼ同時に受信する。
【００４４】
プロセッサ１２０が両方のユーザ識別子信号を受信するとき、プロセッサ１２０は第１の信号に基づいて照明器具１５０を調整し始める。この場合、調整は、第１の個人装置のユーザの個人の好みだけでなく、その優先度に基づいている。第１の個人装置のユーザが高い優先度と関連する場合、第１の信号が、次を考慮されるようにスケジュールされてもよい。同様に、プロセッサ１２０は、第２の信号に基づいて照明器具１５０を調整し始める。また、調整は、第２の個人装置のユーザの個人の好みだけでなく、その優先度に基づいている。第２の個人装置のユーザが低い優先度と関連する場合、第２の信号が、次を考慮されるようにスケジュールされない。同様に、プロセッサ１２０は、対応する個人装置と関連した多くのユーザのうち３人を優先させてもよい。
【００４５】
代わりに、ユーザ識別子は、付加的又は代わりの基準に基づいて、時間的に順位をつけられ又は優先される。例えば、特定の個人装置からのユーザ識別子は、高い又は低い優先度を割り当てられる。同様に、特定の位置の個人装置からのユーザ識別子は、高い又は低い優先度を割り当てられる。例えば、通常の利用者と関連すると認識される個人装置からのユーザ識別子は、認識されない個人装置からのユーザ識別子と比較して、より高い優先度を割り当てられる。そして、優先ゾーン内に位置されると認識される個人装置からのユーザ識別子は、同じ施設内の他の領域からのユーザ識別子と比較して、より高い優先度を割り当てられる。
【００４６】
プロセッサ１２０により制御される複数の個別に制御可能な照明器具１５０は、システム１０の幾つかの実施例では、固定位置に取り付けられた一つ以上の照明器具を含み、制御可能な照明ネットワーク１４０を介してプロセッサ１２０と通信できる。幾つかの他の実施例では、個別に制御可能な照明器具１５０は、他のタイプの通信リンク、例えば、イーサネット（登録商標）又は無線ネットワーク接続を含む照明ネットワークを通じて通信する一つ以上のアドレス指定可能な照明器具を含む。プロセッサ１２０と制御可能な照明ネットワーク１４０との間の通信は、プロセッサ１２０の実行モジュール２２０から照明器具１５０へ送信される制御命令を含む。これらの命令は、一つ以上の照明器具１５０を、例えば、オン、オフ、強度を減少若しくは増大、又は照明のスペクトルパワー分布を変更させる。
【００４７】
用語「照明器具」は、限定はされないが、ＬＥＤベースの源(上述のような少なくとも一つ以上のＬＥＤを含む)、白熱源（例えば、フィラメントランプ、ハロゲンランプ）、蛍光源、燐光源、高輝度放電源（例えば、ナトリウム蒸気、水銀蒸気及び金属ハロゲンランプ）、レーザー、エレクトロルミネッセンス源の他のタイプ、焦電発光源（例えば、フレーム）、キャンドル発光源（例えば、ガスマントル、カーボンアーク放射線源）、フォトルミネッセンス源（例えば、ガス放電源）、電子飽和を使用するカソード発光源、ガルバーノ発光源、結晶発光源、運動による発光源、熱的発光源、摩擦発光源、音発光源、放射線発光源、及び発光ポリマーを含む様々な放射線源の任意の一つ以上を指すと理解されるべきである。用語「照明ユニット」は、同じか又は異なるタイプの一つ以上の光源を含む装置を指すように本願明細書において用いられる。所与の照明ユニットは、光源に対する多様な取り付け装置の任意の一つ、エンクロージャ／ハウジング装置及び形状、並びに／又は電気的及び機械的接続構成を持ってもよい。加えて、所与の照明ユニットは、光源の動作に関係するさまざまな他の部品（例えば、制御回路）とオプションで関連している（例えば、含む、結合する、及び／又は一緒にパックされる）。「ＬＥＤベースの照明ユニット」は、単独で、又は他のＬＥＤベースではない光源と結合して、上記のような一つ以上のＬＥＤベースの光源を含む照明ユニットを指す。
【００４８】
所与の照明器具は、可視スペクトルの内側、可視スペクトルの外側又は両方の範囲内の電磁放射を生成するように構成される。したがって、用語「光」及び「放射線」は、本願明細書において取り換え可能に用いられる。加えて、照明器具は、一体型の要素として、一つ以上のフィルタ（例えば、カラーフィルタ）、レンズ又は他の光学部品を含んでもよい。また、照明器具は、指標、ディスプレイ及び／又は照明を含むがこれに限らず、様々なアプリケーションのために構成されることは理解されるべきである。「照明源」は、内部又は外側の空間を効果的に照明するのに充分な強度を持つ放射線を生成するように特に構成される光源である。この状況において、「充分な強度」とは、周囲照明（すなわち、間接的に感知され、例えば、全体的にあるいは部分的に感知される前に様々な一つ以上の介在面反射されているかもしれない光）を提供するために、空間又は環境において生成される可視スペクトルの充分な放射パワーを指す（放射パワー又は「光束」に関して、単位「ルーメン」が、光源から全方向に出力される全ての光を表すためにしばしば使用される）。
【００４９】
用語「光源」は、これに限定されないが、ＬＥＤベースの源（上述のように規定されるような一つ以上のＬＥＤを含む）、白熱源（例えば、フィラメントランプ、ハロゲンランプ）、蛍光源、燐光源、高輝度放電源（例えば、ナトリウム蒸気、水銀蒸気及び金属ハロゲンランプ）、レーザー、エレクトロルミネッセンス源の他のタイプ、焦電発光源（例えば、フレーム）、キャンドル発光源（例えば、ガスマントル、カーボンアーク放射線源）、フォトルミネッセンス源（例えば、ガス放電源）、電子飽和を使用するカソード発光源、ガルバーノ発光源、結晶発光源、運動による発光源、熱的発光源、摩擦発光源、音発光源、放射線発光源、及び発光ポリマーを含む一つ以上の様々な放射線源を指すと理解されるべきである。
【００５０】
本開示のためにここで用いられているように、「ＬＥＤ」という用語は、任意の電子発光ダイオード、又は電気信号に応答して放射線を生成できる他のタイプのキャリア注入／接合に基づくシステムも含むことを理解されたい。よって、用語ＬＥＤは、電流に応答して光を放射する様々な半導体ベースの構造体、光放射ポリマー、有機発光ダイオード（ＯＬＥＤ）、電子発光ストリップ等を含むが、これに限定されるものではない。特に、用語ＬＥＤは、赤外スペクトル、紫外スペクトル及び可視スペクトルの様々な部分（一般に、ほぼ４００ナノメートルからほぼ７００ナノメートルまでの放射線波長を含む）の一つ以上の放射線を生成するために設定されるすべてのタイプ（半導体及び有機発光ダイオードを含む）の発光ダイオードを指す。ＬＥＤの幾つかの例としては、限定はされないが、様々なタイプの赤外線ＬＥＤ、紫外線ＬＥＤ、赤色ＬＥＤ、青色ＬＥＤ、緑色ＬＥＤ、黄色ＬＥＤ、琥珀ＬＥＤ、オレンジＬＥＤ及び白色ＬＥＤ（更に以下に述べられる）を含む。また、ＬＥＤは、所与のスペクトル（例えば、狭い帯域幅、幅広い帯域幅）のためのさまざまな帯域幅（例えば、半値全幅、すなわちＦＷＨＭ）及び所与の通常のカラーカテゴリ内の様々な主波長を持つ放射線を生成するように設定され及び／又は制御されると理解されるべきである。
【００５１】
例えば、基本的に白色光（例えば、白色ＬＥＤ）を生成するように設定されるＬＥＤの１つの実施態様は、基本的に白色光を形成するため組み合わせて混合する異なるスペクトルのエレクトロルミネセンスをそれぞれ放射する多くのダイを含む。他の実施態様において、白色光ＬＥＤは、第１のスペクトルを持つエレクトロルミネセンスのスペクトルを、異なる第２のスペクトルに変換する蛍光体物質と関連してもよい。この実施態様の１つの例において、比較的短い波長及び狭い帯域幅スペクトルを持つエレクトロルミネセンスは、蛍光体物質を「ポンプ」して、いくらかより幅広いスペクトルを持つ、より長い波長放射線を放射する。
【００５２】
用語ＬＥＤが、ＬＥＤの物理的及び／又は電気的パッケージタイプを制限するものではないことも理解されたい。例えば、上述のように、ＬＥＤは、異なるスペクトルの放射線をそれぞれ放射するように構成される（例えば、個別に制御可能であるか、又は制御可能でない）複数のダイを持つ単一発光装置を指す。また、ＬＥＤは、ＬＥＤ（例えば、幾つかのタイプの白色ＬＥＤ）の一体部分とみなされる蛍光体と関連してもよい。一般に、用語ＬＥＤは、パッケージされたＬＥＤ、パッケージされていないＬＥＤ、表面実装ＬＥＤ、チップオンボードＬＥＤ、Ｔ―パッケージマウントＬＥＤ、ラジアルパッケージＬＥＤ、電力パッケージＬＥＤ、あるタイプの容器及び／又は光学素子（例えば、拡散レンズ）を含むＬＥＤ等を指してもよい。
【００５３】
所与の照明器具は、可視スペクトル内で、可視スペクトル外で又は両方の組合せの電磁放射線を生成するように設定される。よって、用語「光」及び「放射線」が、取り換え可能に本明細書で用いられる。加えて、照明器具は、一体要素として一つ以上のフィルタ（例えば、カラーフィルタ）、レンズ又は他の光学部品を含む。また、照明器具は、これに限定されないが、指示、表示及び／又は照明を含む様々なアプリケーション用に構成されることを理解すべきである。「照明源」は、インテリア又はエクステリア空間を効果的に照明するために充分な強度を持つ放射線を生成するために特に設定される光源である。この段落において、「充分な強度」は、周囲照明（すなわち、間接的に認識され、例えば、全体的に又は部分的に気付かれる前に、様々な介在表面の一つ以上から反射される光）を供給するために、空間又は環境内に生成される可視スペクトルの充分な放射電力を指す（単位「ルーメン」は、しばしば、放射電力又は「光束」に関して、全方向の光源からの全光出力を表すために使用される）。
【００５４】
用語「スペクトル」は、一つ以上の光源により生じる放射線の一つ以上の周波数（又は波長）を指すと理解されるべきである。よって、用語「スペクトル」は、可視範囲の周波数（又は波長）だけでなく、赤外線、紫外線及び全体の電磁スペクトルの他のエリアの周波数（又は波長）を指す。また、所与のスペクトルは、比較的狭い帯域幅を持ってもよいし（例えば基本的に少ない周波数又は波長成分を持つＦＷＨＭ）、又は比較的広い帯域幅（さまざまな相対強度を持つ幾つかの周波数又は波長成分）を持ってもよい。所与のスペクトルが２つ以上の他のスペクトルの混合の結果でもよいことも理解されるべきである（例えば、複数の光源からそれぞれ放射される放射線の混合）。「スペクトルパワー分布」という用語は、照明のユニット波長当たりのユニット領域当たりのパワー、又は任意の放射量（例えば放射エネルギー、光束、放射強度、放射輝度、発光、放射発散度又はラジオシティ）に対する波長当たりの寄与を指すと理解される。
【００５５】
この開示のため、用語「カラー（色）」が、用語「スペクトル」と交換可能に使われる。しかしながら、用語「カラー（色）」は、主に観察者により知覚できる放射線の特性を指すために概して用いられる（この使用がこの用語の範囲を制限することを目的としないが）。よって、用語「異なる色」は、異なる波長成分及び／又は帯域幅を持つ複数のスペクトルを暗に指す。また、用語「カラー（色）」は、白色光及び白色でない光に関連して使われてよいことも理解されるべきである。
【００５６】
幾つかの実施例によると、照明器具１５０により作られる個人装置４０付近の照明は、偏光眼鏡及び電子的シャッター眼鏡を有する技術の使用を通じてのみ見えてもよい。例えば、照明器具１５０は光パルスを繰り返し生成し、電子的シャッター眼鏡のような技術は同じスライスの各照明期間をブロックするように同期し、照明器具１５０は一つ以上の光パルスをシャッターで遮られる又はブロックされるタイムスライスにシフトするように設定されてもよい。
【００５７】
幾つかの他の実施例によると、照明器具１５０からの個人装置４０付近の照明は、例えば、単一のカラー照明及び／又は種々異なる色を持つ一連の照明を有する。
【００５８】
更に他の実施例では、照明器具１５０により作られる個人装置４０付近の照明は、個人装置４０又は他のユーザの個人装置と関連したユーザ識別子に対応する変調信号でコード化される。このような実施例では、個人装置４０は、変調信号を捕える能力だけでなく変調信号を検出するための少なくとも一つのセンサを有する。このような実施例では、信号は、個人装置４０により検出され捕えられ変調された信号を有する。
【００５９】
本発明の他の実施例では、システム１０は、スキーマ（図１に示されない）を生成するためのスキーマ生成器を含む。スキーマ生成器は、照明デザイナーからの入力から、又はシステム１０からとられる情報から、照明スキーマを作成する。本発明の幾つか他の実施例では、システム１０は、遠隔スキーマ生成器へスキーマの要求を送信するためのスキーマ生成器インタフェースを持ち、ここで、要求は観察されたシステムパラメータの少なくとも一つを示す情報を含む。スキーマ生成器インタフェースは、また、遠隔スキーマ生成器からスキーマを受ける。ローカルメモリ１３０は、観察されたシステムパラメータ及びスキーマを格納する。本発明の幾つかの実施例では、センサインタフェースが付加的に観察されたシステムパラメータを受信するために用いられ、プロセッサが付加的に観察されたシステムパラメータを補償するためにスキーマを修正するために更に用いられる。更に、図１に示されていないスキーマ市場は、システム１０と接続可能で、システム２０及び３０とリンクされていてもよい。本発明によるプロセッサ１２０は、スキーマを少なくとも一つの制御可能な照明ネットワークの出力設定を制御するための命令に翻訳する。本発明の斯様な実施例では、実行モジュール２２０は、適用できるスキーマ、任意の適用できる好み規則及び任意の適用できる要求された調整に基づいて制御可能な照明ネットワークに向けられた信号を生成する。スキーマが、適用可能な要求された調整を許容しない所で、実行モジュール２２０は、要求された調整に組み込む制御信号を生成しない。同様に、スキーマが、適用可能な好み規則により示唆される調整を許容しない所で、実行モジュール２２０は、適用できる好みの規則に組み込む制御信号を生成しない。代わりに、実行モジュール２２０は、適用可能な好み規則及び／又は要求された調整を持つスキーマを拒絶してもよい。
【００６０】
図３は、本発明の態様による照明ベースのシステム１０で個人の照明好み規則を取り出す方法を例示する。図３の方法では、ユーザは、個人装置４０、又はＲＦＩＤタグ若しくは識別の他の手段のような任意の他の識別装置を使用可能にする。例えば、ユーザは、個人通信装置４０が対話形システム１０内で識別され追跡されることを許可し、その後、対話形システム１０へ個人通信装置４０を持って来る。対話形システム１０内に入ると、ユーザは、ユーザインタフェースを介して制御可能な照明ネットワーク１４０内の照明器具１５０を調整する。ステップ３３０では、認知モジュール２１０は関連するユーザにより要求されるユーザ識別子及び調整を検出し、ステップ３４０で、認知モジュール２１０は照明調整の状況を識別する。任意のステップ３５０では、認知モジュール２１０は、調整及び関連する状況をローカルメモリ１３０に保存する。ステップ３６０では、推論エンジン２３０は、相関が調整と状況との間で見つかるかどうかを識別するために調整及び関連する状況を分析する。相関が見つかる場合、ステップ３８０で、推論エンジン２３０は、相関に基づいて個人の好み規則を作る。ステップ３９０では、個人の好み規則は、関連するユーザ識別子に加えて好みデータベース５０に格納される。代わりに、相関が見つからない場合、ステップ３７０で、推論エンジン２３０は、関連するユーザ識別子に加えて調整を好みデータベース５０に格納する。
【００６１】
本発明の幾つかの実施例では、認知モジュール２１０は、調整に関係する情報を含む信号を実行モジュール２２０へ送信する。システム１０により可能にされるスキーマ実行及び調整に依存して、本発明の幾つかの実施例での実行モジュール２２０は、制御可能な照明ネットワーク１４０に調整を実行するように指示する制御信号を送信する。本発明の幾つかの実施例では、ユーザは、ユーザの個人の好みを検出する認識システム２１０に応じて実行する調整のレベルを実行モジュール２２０に知らせるパラメータをセットする。斯様なパラメータは、照明が認知モジュール２１０により検出される調整に応じてどれくらい変化するか、どれくらい速く変化するか、どれくらい頻繁に変化するかを識別する。一つの実施例では、パラメータは、また、状況次第でもよい。
【００６２】
システム１０の幾つかの実施例によると、システム１０に入る際と同一の状況の特定の設定に、ユーザが、照明ネットワーク１４０の照明器具１５０を調整するとき、規則が決定されてもよい。例えば、同じ挙動の既定回数の発生の後、規則は確立され、規則を取り出すために用いられる調整が削除される。既定回数の発生は、同じ環境、同じ照明ネットワークの異なる環境、又は異なる照明ネットワークで観察される。必要又は要求される場合、ユーザは、個人の好み規則の実行の後、他の手動調整をまだ行う。システム１０が、これら新規な手動調整を検出し、調整が１日の時間、オフィス内の位置、検出される作業又はシステム１０の位置のような状況にリンクされる場合、追加的な規則を取り出す。相関が存在しない場合、規則は作られず、調整は好みデータベース５０へ送信される。代わりに、相関が弱い場合、照明器具１５０は徐々に調整される。推論エンジン２３０は、調整と調整がなされる状況との間の相関が識別できるかを決定するために、漸進的な調整を分析する。相関が見つかる場合、規則が作られ、ユーザ識別子と関連して好みデータベース５０に格納される。規則は、なされる手動調整の数又は見つかる相関のレベルと比例する強さ指標と共に格納できる。他の調整は他の規則として格納されるか、又は規則が弱い場合、古い規則が廃止され、新規な規則が作られる。
【００６３】
図４は、本発明の態様による対話形システム１０に個人の好みを適用するための方法を例示する。ユーザが対話形システム１０に入った後、ステップ４１０で、認知モジュール２１０は、ユーザ識別子を検出し、対応する信号を実行モジュール２２０へ送信する。ステップ４２０では、実行モジュール２２０は、ユーザ識別子と関連した任意のユーザ好みのために好みデータベース５０を点検する。規則が見つかる場合、ステップ４３０で、実行モジュール２２０は規則を取り出し、ユーザが手動調整を実行する必要なく、ステップ４４０で、しかるべく制御可能な照明ネットワーク１４０の照明器具１５０を調整する。好み規則が存在しない場合、ステップ４５０で、実行モジュール２２０は、好みデータベース５０から任意の以前格納された調整を取り出し、ローカルメモリ１３０に保存され、ステップ４６０で、実行モジュール２２０は、検索された調整に従って照明器具１５０を調整する。
【００６４】
図４の方法の実施例は、あるならば図３のステップ３３０へ戻ることにより、対話形システム１０の他の手動調整が記録され分析されることを許容する。図４の方法は、システム２０又は３０のような他の対話形システムのユーザの個人の好みを適用するために同様に用いられ得る。その上、ユーザは、他の対話形システムの手動調整ができ、これらの調整を好みデータベース５０に記録させ、相関を識別するために他の調整に関連して分析させる。代わりの実施例では、個人の好み規則の検索は、直接実行モジュール２２０によるよりもむしろ認知モジュール２１０を介してなされる。
【００６５】
図５は、普通の照明調整と、本発明の実施例と整合したユーザにより要求される重要な照明調整とを区別する方法を例示する。調整の重み付けは、調整に従うシステム内のユーザの時間に正比例するか、又は二乗、二乗根、ステップ関数、指数関数、対数関数のようなある他の関数的に比例する。システムは、特定の重み付けを越える変化だけを記録するように設定される。例えば、かなり速い遷移でなされる変化は、ユーザがシステム１０で試用していることを示す。従って、かなり速い遷移でなされる変化は重要でない調整とみなされ、斯様な調整は規則を取り出すためには使用されない。調整をしたすぐ後ユーザがシステムから離れる場合、調整はたいしたことがないか重要でないとみなされ、低い重み付けが割り当てられる。その後ユーザが長期間システムに留まる変化には、より大きな重み付けが与えられる。
【００６６】
図５のステップ５１０では、認知モジュール２１０は、ユーザの手動調整を検出し、プロセッサ１２０はメモリ１３０にそれらを記録する。ステップ５２０では、認知モジュール２１０は、ユーザがいつシステム１０を離れるか又は調整がなされたシステム１０の一部から離れるかを検出し、プロセッサ１２０はユーザの出発の時間を記録する。ステップ５３０では、ユーザが離れたことの検出に応じて、プロセッサ１２０は、調整の後のユーザ滞在の期間をチェックする。期間が特定の閾値を越える場合、ステップ５４０で、実行モジュール２２０は、システム１０又は調整がなされたシステム１０の一部にユーザが存在する時間を、ローカルメモリ１３０の調整の記録に加える。期間が閾値より低い場合、ステップ５５０で、実行モジュール２２０は記録を削除する。
【００６７】
推論エンジン２３０により考慮されるべき所与の変化のために必要な最小限の重み付けは、システム１０内の位置に依存して変化する。例えば、非常に低い重み付けは、ユーザが頻繁に通って歩くロビー又は他の通過スペースに対して適当である。かなり前になされた調整は、規則を決定するとき、より少ない重み付けを与えられる。
【００６８】
あまりに高い回数の手動調整がなされている、又は、実際の照明出力が照明デザイナー若しくは最初のスキーマの作者により構想された元の出力と著しく異なるように、大部分のユーザにより変化がなされたとわかった場合、実行モジュール２２０及び／又は推論エンジン２３０は、手動調整、又は手動調整の回数、及び調整の程度の記録をスキーマ生成器へ送信する。スキーマ生成器は、その時、実行モジュール２２０により動くことができ、及び／又はシステム２０及び３０のような他のシステムに送信できるスキーマ市場へ送信されるスキーマを、しかるべく再フォーマットする。
【００６９】
本発明の更に他の実施例では、各システムの能力及び／又は構成に依存して、好みデータベース５０の個人の好み規則を充分に実行することは常に可能ではない。例えば、表１は、オフィススペースにいるユーザに対する調整及び結果の規則を示し、ここで、ユーザは机へ移動する前に最初に安楽椅子に座る。表１で供給される調整及び状況データに基づいて、本発明による推論エンジン２３０は、ユーザが安楽椅子から机へ移動するとき、照明を１００％に切り換えるための規則を取り出す。
表１：ユーザが安楽椅子から机へ移動するとき、照明を１００％に切り換える
0005587995.tif 000002
【００７０】
ユーザは、その後、オフィスＡ又はＢとは異なるシステムであるオフィスＣへ行く。オフィスＣは、その認識システムの一部として位置センサを含まないが、入場検出器を含む。結果として、表１に示される状況データは収集されないが、既存の規則又は以前の調整は、４５分の平均的時間の後、照明を１００％まで自動的に調整可能にするか、及び／又は、斯様なイベントに対する部分的な情報が記録できる。ユーザが、その後、オフィスＤに入る場合、位置センサで、規則は正確に定められる。従って、ユーザが入る特定のシステムの機能に依存して、好みデータベースに格納された規則が、完全に又は部分的に利用できる。
【００７１】
表２は、オフィスの照明がローカル状況だけでなくユーザの好みにより支配される他の例を示す。表２に供給されるデータに基づいて、システム１０は、他の人が部屋にいる場合を除き、ユーザが机から安楽椅子へ移動するとき、６０％まで照明を切り換えるための規則を取り出す。
表２：他の人がちょうど今部屋に入った場合を除き、ユーザが机から安楽椅子へ移動するとき、照明を６０％に切り換える
0005587995.tif 000003
【００７２】
表２は、オフィスのユーザが机から安楽椅子へ移動するとき一般に照明を調光するという規則が、ローカル状況に依存して呼び出されることを示す。ユーザがオフィスに訪問客を持つとき、結果的に複数の人が部屋にいるとき、照明は最大レベルへ調整されるか又は最大レベルに維持される。
【００７３】
本発明の幾つかの実施例によると、プロセッサ１２０は、他のユーザから、又は他のユーザと関連した個人装置から受け取られる票に基づいて、システム１０の照明ネットワーク１４０を制御する。
【００７４】
図６ａは、本発明の実施例と整合した複数の他のユーザからの票に基づいて、ユーザの個人の好み規則を修正するための方法を例示する。個人通信装置４０のような識別の手段を持っているユーザがシステム１０に入った後、ステップ６００で、プロセッサ１２０は、ユーザと関連した尤度値を持つ個人の好み規則を識別する。ユーザがシステム１０内にいるただ一人の人である場合、ユーザの個人の好み規則は修正されず、照明器具１５０は、図３及び図４に説明される方法を使用して、ユーザの個人の好み規則に従って調整される。しかしながら、少なくとも一人の他のユーザがシステム１０内にいる場合、調整がなされる前に、他のユーザの好みが考慮できる。ステップ６１０では、他のユーザからの少なくとも票が受け取られて、調整が、複数の票により、より受け入れられる規則に従ってなされる。他のユーザからの票を受け取った後、ステップ６２０で、プロセッサ１２０は、他のユーザから受け取られた票に基づいてユーザの個人の好み規則の尤度値を調整する。
【００７５】
ユーザは、ユーザの個人の好みを単に部分的に他のユーザの票に基づいて修正し又は強化しようとするだけである。修正のレベルは、ユーザによりセットされる閾値に基づいて変化する。閾値は、ユーザの好み規則を修正するために必要な票の数を決定する。その上、閾値は、好み規則が修正される量を決定する。票のレベルが閾値に達するとき、個人の好み規則は修正され、新規な規則として格納される。票のレベルが閾値に達しない場合、個人の好み規則は修正されない。更に、調整のレベルは、システム１０内の他のユーザの数に基づいて変化する。票はシステム２０及び３０のような複数のシステムからユーザにより入力され、票は、マネージャ又はシステム１０の他のユーザにより要求されてもよい。
【００７６】
図６ｂは、本発明の実施例と整合した複数の他のユーザからの票に基づいて、ユーザの個人の好み規則を修正するための他の方法を例示する。個人通信装置４０のような識別の手段を持っている第１のユーザが、第２のユーザがいるシステム１０に入る。ステップ６３０では、プロセッサ１２０は、第１のユーザと関連した、尤度値を持つ個人の好み規則を識別する。ステップ６４０では、プロセッサ１２０は、第１のユーザに対する基準の第１のセットを識別し、ステップ６５０では、第２のユーザに対する基準の第２のセットを識別する。両方のセットの基準を識別した後、ステップ６６０で、実行モジュール２２０は、基準の第１のセットと基準の第２のセットとを比較する。第１のユーザの個人の好みが第２のユーザにより、より受け入れられる規則に調整されるように、比較に基づいて、第２のユーザは、第１のユーザの個人の好みに関して投票する。ステップ６７０では、プロセッサ１２０は、第２のユーザの票を受け取り、ステップ６８０で、第２のユーザから受け取られた票に基づいて第１のユーザの個人の好み規則の尤度値を調整する。
【００７７】
本発明の実施例では、第２のユーザは、代わりに、第２のユーザの基準の第２のセットと第１のユーザの基準の第１のセットとの比較以外の要因に、ユーザの票が基づいていてもよい。例えば、基準の第１のセットは基準の第２のセットとは著しく異なってもよく、これら２つのセットの基準の比較は、各ユーザの逆の好みを提示していてもよい。この場合、比較に基づいて、第２のユーザは、第１のユーザの個人の好み規則に反対して投票しそうであり、特定の量により第１のユーザの個人の好み規則の尤度値を低下させそうである。しかしながら、第１及び第２のユーザは、互いに対話する有意な時間量を費やして、ユーザ間に他の共通の関心事を識別してもよい。この場合、基準の第１のセット及び基準の第２のセットがどれくらい異なるかに関係なく、第２のユーザは第１のユーザの個人の好み規則に反して投票しない。推論エンジン２３０は、他の要件が利用できるとき、２つのセットの基準の比較を無視する。第２のユーザの票は、第１のユーザの個人の好み規則の尤度値をそれほど低下させない。
【００７８】
本発明の幾つかの実施例によると、プロセッサ１２０は、ユーザ識別子と関連した調整履歴に基づいて、システム１０の照明器具１５０を制御する。図７は、本発明の態様によるユーザの調整履歴に基づいてユーザの個人の好みを修正する方法を例示する。第１のユーザが個人通信装置４０をシステム１０に持って来た後、実行モジュール２２０は、ステップ７００で第１のユーザの個人の好み規則を識別する。第２のユーザもシステム１０内にいるので、ステップ７１０では、実行モジュール２２０は、また、第２のユーザに対する個人の好み規則も識別する。ステップ７２０では、プロセッサ１２０は、２つの個人の好み規則を比較する。それから、ステップ７３０で、実行モジュール２２０は、第１のユーザ及び第２のユーザの個人の好み規則の比較と同じである比較に応じて、個人の好み規則に関して第１のユーザがこれまでに投票していたかどうかを調べる。調整履歴が存在しない場合、ステップ７４０で、推論エンジン２３０は、比較に基づいて第２のユーザの個人の好みについて投票する。調整履歴が存在する場合、ステップ７５０で、実行モジュール２２０は、過去の第１のユーザによる以前の票を識別し、ステップ７６０で、推論エンジン２３０は、以前の票に基づいてしかるべく投票する。システム１０の照明は、比較及び票に基づいて制御できる。第１のユーザからの票を受け取ると、第２のユーザの個人の好み規則は、個人の好み規則の尤度値を調整することにより修正される。
【００７９】
図８は、本発明の実施例と整合したユーザの照明調整履歴に基づいて、個人の好みを修正する他の方法を例示する。個人装置４０のような識別手段を持っている第１のユーザは、他のユーザがいるシステム１０に入る。ステップ８００で、実行モジュール２２０は、第１のユーザの基準のセットを識別する。ステップ８１０で、実行モジュールは、更に、第２のユーザの基準のセット及び個人の好み規則を識別する。２つのセットを識別した後、ステップ８２０で、実行モジュール１２０は、基準の２つのセットを比較する。その後、ステップ８３０で、実行モジュール２２０は、第１のユーザの調整履歴を調べて、第２のユーザの基準のセットと同じである基準のセットに基づいて第２のユーザの個人の好み規則と同じである個人の好み規則に反して第１のユーザが過去に投票したかどうかを調べる。例えば、第１のユーザがシステム１０に入る場合、好きな色が緑である第２のユーザがシステム１０にいるとする。実行モジュール２２０は、第１のユーザの調整履歴を調べて、好きな色が緑であるユーザの個人の好み規則に反対して第１のユーザが投票をしたかどうかを調べる。調整履歴が存在しない場合、ステップ８４０で、推論エンジン２３０は、比較に基づいて第２のユーザの個人の好み規則に関して投票する。調整履歴が存在する場合、ステップ８５０で、実行モジュール２２０は、過去に他のユーザの個人の好み規則に反対して第１のユーザがどのように投票したかを識別する。ステップ８６０で、推論エンジン２３０は、以前の票に基づいて第２のユーザの個人の好み規則に関してしかるべく投票する。第１のユーザからの票を受け取ると、第２のユーザの個人の好み規則は、ユーザの個人の好み規則の尤度値を調整することにより修正される。
【００８０】
本発明の他の実施例では、実行モジュール２２０は、システム１０の全てのユーザの関心事に関係する情報を取り出す。推論エンジン２３０は、その後、音楽のような全てのユーザ間の共通の関心事を決定する。照明の個人の好みを修正するために斯様な情報を使用することに加えて、斯様な情報は他の要件のために使われてもよい。例えば、斯様な情報は、リピートユーザの数及び／又はユーザの満足感の数を増大するやり方として、将来の計画のためシステム１０のマネージャに提供されてもよい。
【００８１】
様々な本発明の実施例が本願明細書において図と共に説明されると共に、当業者は機能を実行し、並びに／又は結果及び／若しくは本願明細書において記載されている効果の一つ以上を得るための様々な他の手段及び／若しくは構造を容易に構想するが、斯様なバリエーション及び／又は変更態様の各々は本願明細書において記載されている発明の実施例の範囲内であると考えられる。さらに一般的にいえば、当業者は、本願明細書において記載されているすべてのパラメータ、寸法、物質及び構成が例示的なものであり、実際のパラメータ、寸法、物質及び／又は構成は、本発明の教示が使用される特定のアプリケーション又はアプリケーションに依存することは、容易に理解されるだろう。当業者は、本願明細書において記載されている特定の発明の実施例に対して多くの等価物を、ルーチン試験だけを使用して理解され、確認できるだろう。したがって、前述の実施例が単なる例示により表わされていて、添付の請求の範囲及びその等価物の範囲内で、発明の実施例が、特に説明されたり、クレームされたもの以外でも実践されるということは理解されるべきである。本開示の発明の実施例は、本願明細書において説明された個々の特徴、システム、物品、材料、キット及び／又は方法に向いている。加えて、斯様な特徴、システム、物品、材料、キット及び／又は方法が相互に矛盾していない場合、斯様な２つ以上の特徴、システム、物品、材料、キット及び／又は方法の何れの組合せも本開示の発明の範囲の中に含まれる。
【００８２】
本願明細書において定められ、使用されるすべての定義は、辞書定義、参照した文献での定義及び／又は定義された用語の通常の意味にわたって管理するように理解されるべきである。
【００８３】
本願明細書及び請求項において使用された不定冠詞「ａ」及び「ａｎ」は、明らかに反対が示されない限り、「少なくとも１つ」を意味すると理解されるべきである。
【００８４】
本願明細書及び請求項において使用されたフレーズ「及び／又は」は、連接された要素、すなわち、ある場合には共同して存在し、他の場合には分離的に存在する要素の「一方又は両方」を意味すると理解されるべきである。「及び／又は」でリストされた複数の要素は、同じ様式、すなわち、連接された要素の「一つ以上」と解釈されるべきである。他の要素は、特に特定されたそれらの要素と関係するにせよ又は無関係であるにせよ、「及び／又は」フレーズによって特に特定された要素以外にオプションであってもよい。したがって、非限定的な例として、「Ａ及び／又はＢ」という参照は、「を有する」ような制限のない用語と共に用いられるとき、ある実施例においては、Ａだけ（オプションで、Ｂ以外の要素を含む）を指すことができ、他の実施例においては、Ｂだけ（オプションで、Ａ以外の要素を含む）を指すことができ、更に他の実施例においては、Ａ及びＢ（オプションで、他の要素を含む）を指すことができる等である。
【００８５】
本願明細書及び請求項において使用されるように、「又は」は、上記「及び／又は」と同じ意味を持つと理解されるべきである。例えば、リストの項目を分けるとき、「又は」又は「及び／又は」は、含んでいるとして解釈されるべきであり、すなわち、少なくとも１つを含むが、多くの要素の数若しくは要素のリスト１つより多くも含み、オプションで、リストに載ってない追加の項目も含むものとして解釈されるべきである。対照的に、「一つだけ」、「正確に一つ」又は請求項で使用されるときは「から成る」のような明らかに指示した用語だけは、多くの要素又は要素のリストの正確に１つの要素を含むことを参照する。概して、本願明細書で用いられる用語「又は」は、「何れか」「の一つ」「も一つだけ」又は「の正確に一つ」のような排他性の用語が先に来るとき、排他的な択一物（すなわち「一方又は他方であって両方ではない」）を示すものとして解釈されるだけである。請求項において使用されるとき、「基本的に」「から成る」ことは、特許法の分野において用いられるような通常の意味を有する。
【００８６】
明細書及び請求項で使用されているように、一つ以上の要素のリストに関して「少なくとも一つの」フレーズは、要素のリストのうちの何れの一つ以上の要素から選択された少なくとも一つの要素を意味し、要素のリストの範囲内で特にリストされた各要素の少なくとも一つを必ずしも含む必要もなく、要素のリスト内の何れの要素の組み合わせも除外するわけでもないことは理解されるべきである。この定義はまた、「少なくとも一つの」フレーズが参照する要素のリストの範囲内で特に特定される要素以外に、特に特定された要素に関係があるかないかにかかわらず、要素がオプション的にあることを許容する。したがって、非限定的な例として、「Ａ及びＢの少なくとも一つ」（又は、同等に、「Ａ又はＢの少なくとも一つ」、又は、同等に「Ａ及び／又はＢの少なくとも一つ」）は、一方の実施例において、Ｂがない（Ｂ以外の要素をオプションで含んで）少なくとも一つのＡ、オプションで一つより多くのＡを参照し、他方の実施例において、Ａがない（Ａ以外の要素をオプションで含んで）少なくとも一つのＢ、オプションで一つより多くのＢを参照し、更に他の実施例において、少なくとも一つのＡ、オプションで一つより多くのＡ、少なくとも一つのＢ、オプションで一つより多くのＢ（オプションで他の要素を含んで）を参照する等である。
【００８７】
明らかに反対の示されない限り、複数のステップ又は行為を含むとここにクレームされた何れの方法においても、当該方法のステップ又は行為の順番は、当該方法のステップ又は行為が列挙される順番に必ずしも限られているわけではないことも理解されるべきである。また、請求項内の参照符号は、非限定的であって、請求の範囲に何ら影響を持つべきではない。
【００８８】
特許審査プロシージャセクション２１１１．０３の米国特許庁マニュアルに述べているように、明細書だけでなく、請求項において、「を有する」、「含む」、「坦持する」、「持つ」、「含有する」、「かかわる」、「保持する」、「構成される」などのような全ての移行型フレーズは、制限がない、すなわち、含まれるがこれに限定されるものではないことを意味することが理解されるべきである。移行フレーズ「からなる」及び「基本的にからなる」だけが、それぞれ限定であるか半限定移行フレーズである。
【図１】
0005587995.tif 000004
【図２】
0005587995.tif 000005
【図３】
0005587995.tif 000006
【図４】
0005587995.tif 000007
【図５】
0005587995.tif 000008
【図６ａ】
0005587995.tif 000009
【図６ｂ】
0005587995.tif 000010
【図７】
0005587995.tif 000011
【図８】
0005587995.tif 000012